(57)【要約】【課題】  消費者が誤って耐熱性に乏しいフィルターを使用しても、火災の発生の原因となる加熱調理領域へのフィルターの落下を未然に防ぐことができ、且つ、通常の使用状態で換気装置の換気性能を確実に維持することができるフィルター取付具を提供する。【解決手段】  枠状をなして開口領域を形成すると共に、該開口領域を覆うように通気性を有する枚葉状のフィルターを配置可能に構成された枠本体を備え、該枠本体は、前記フィルターが加熱調理領域の上方に位置する既設の換気装置と当該枠本体との間に介在するように、前記換気装置に取付可能に構成されてなるフィルター取付具において、前記開口領域に対応する領域内のフィルターを支持し、該フィルターが開口領域側に変位するのを規制するフィルター支持体を備え、フィルター支持体は、フィルターを支持する領域に複数の通気穴が形成されてなることを特徴とする。【選択図】図１
2006075805.tif 000002
【特許請求の範囲】
【請求項１】
枠状をなして開口領域を形成すると共に、該開口領域を覆うように通気性を有する枚葉状のフィルターを配置可能に構成された枠本体を備え、該枠本体は、前記フィルターが加熱調理領域の上方に位置する既設の換気装置と当該枠本体との間に介在するように、前記換気装置に取付可能に構成されてなるフィルター取付具において、前記開口領域に対応する領域内のフィルターを支持し、該フィルターが開口領域側に変位するのを規制するフィルター支持体を備え、フィルター支持体は、フィルターを支持する領域に複数の通気穴が形成されてなることを特徴とするフィルター取付具。
【請求項２】
前記フィルター支持体は、少なくともフィルターを支持する領域が金属製の網材で構成されてなる請求項１記載のフィルター取付具。
【発明の詳細な説明】
【技術分野】
【０００１】
本発明は、加熱調理に伴って発生する熱気を外部に排気する既設の換気装置に対して枚葉状のフィルターを取り付けるためのフィルター取付具に関する。
【背景技術】
【０００２】
従来から、ガスコンロやＩＨコンロ等の加熱調理器を用いて食材等を加熱調理する際に発生する熱気や臭気を排気すべく、該加熱調理を行う領域（加熱調理領域）の上方に換気装置（換気扇やレンジフード型換気扇）が設置されるのが一般的である。
【０００３】
該換気装置は、上述の如く、加熱調理に伴う熱気等を外部に排出して室内の換気を行うものであるため、換気に伴って吸気ファン等が配設された装置内部には、油汚れ等が付着してしまう。そのため、油汚れ等の除去作業（清掃作業）が要求されることになるが、油汚れは非常に除去しにくく、かかる清掃作業は非常に煩雑なものとなる。そこで、装置内部への油の流入を防止して清掃の簡素化を図るべく、既設の換気装置に対してフィルターを交換可能に取り付けるためのフィルター取付具が提供されている。
【０００４】
かかるフィルター取付具は、図６に示す如く、枠状をなして開口領域１５０を形成すると共に、該開口領域１５０を覆うように枚葉状のフィルターＦを配置可能に構成された枠本体１５１と、該枠本体１５１上に配置されたフィルターＦの外周縁部を枠本体１５１に向けて押さえ付け、枠本体１５１との間にフィルターＦを挟み込んでフィルターＦを保持するフィルター保持枠１５２とを備えている。なお、該フィルター取付具Ｐに採用されるフィルターＦは、上述の如く、加熱調理に伴う熱気を通過させるため、通気性及び耐熱性を有する樹脂製の不織布等で構成されている。
【０００５】
前記枠本体１５１は、既設の換気装置に取り付けるための取付手段１５３（例えば、磁石や掛止具）が設けられている。これにより、かかるフィルター取付具Ｐは、図７に示す如く、換気装置１００の吸気口１０１にフィルターＦを対向させた状態（吸気口１０１をフィルターＦで覆った状態）で、取付手段１５３を介して換気装置１００に取り付けることで、換気時における通気性を確保した上で換気装置１００の装置内部に油等が入り込むのを防止できるようになっている。
【０００６】
また、該フィルター取付具Ｐは、フィルター保持枠１５２を取り外すことでフィルターＦの交換ができるようになっており、フィルターＦに目詰まり等が発生したときに通気性の良い新たなフィルターＦに取り替えることで、換気効率の低下を防止するようになっている。
【発明の開示】
【発明が解決しようとする課題】
【０００７】
ところで、上記フィルター取付具Ｐに取り付けるフィルターＦは消耗品であるため、消費者に対して交換用のフィルターＦが複数のメーカー等から提供されている。ところが、メーカーによっては、純正フィルターに比して耐熱性が著しく乏しいフィルターを提供している場合があり、一見してフィルターＦの性状や耐熱性について判断できないため、消費者が耐熱性に乏しい非純正フィルターＦを誤って使用してしまうといった問題がある。
【０００８】
そのため、消費者が耐熱性に乏しい非純正フィルターＦを誤って使用してしまうと、フィルターＦが熱気によって軟化乃至溶融してしまい、フィルターＦが枠本体１５１の開口領域１５０側に垂れ下がった態様になったり、枠本体１５１の開口領域１５０から加熱調理領域内に落下してしまったりする虞があり、火災の発生を招きかねないといった問題が発生している。即ち、上記構成の枠本体１５１は、フィルターＦへの気体の流入を考慮して、フィルターＦの外周縁部を支持するようになっているため、広い領域（開口領域１５０に対応する領域）のフィルターＦが支持されておらず、フィルターＦが軟化乃至溶融してしまうと、該フィルターＦが開口領域１５０を介して加熱状態にある領域に落下してしまう可能性が非常に高く、火災の発生の原因になるといった問題が発生している。
【０００９】
そこで、本発明は、斯かる実情に鑑み、消費者が誤って耐熱性に乏しいフィルターを使用しても、火災の発生の原因となる加熱調理領域へのフィルターの落下を未然に防ぐことができ、且つ、通常の使用状態で換気装置の換気性能を確実に維持することができるフィルター取付具を提供することを課題とする。
【課題を解決するための手段】
【００１０】
本発明に係るフィルター取付具は、枠状をなして開口領域を形成すると共に、該開口領域を覆うように通気性を有する枚葉状のフィルターを配置可能に構成された枠本体を備え、該枠本体は、前記フィルターが加熱調理領域の上方に位置する既設の換気装置と当該枠本体との間に介在するように、前記換気装置に取付可能に構成されてなるフィルター取付具において、前記開口領域に対応する領域内のフィルターを支持し、該フィルターが開口領域側に変位するのを規制するフィルター支持体を備え、フィルター支持体は、フィルターを支持する領域に複数の通気穴が形成されてなることを特徴とする。
【００１１】
上記構成のフィルター取付具によれば、開口領域に対応する領域内のフィルターを支持し、該フィルターが開口領域側に変位するのを規制するフィルター支持体を備え、該フィルター支持体は、フィルターを支持する領域に複数の通気穴が形成されているので、複数の通気穴を介して空気（熱気）がフィルターを通過することが可能であり、換気装置を駆動することで室内の換気を行うことができる。そして、熱気の通過に伴って仮にフィルターが軟化状態になったとしても、フィルターが枠本体の開口領域から垂れ下がるような態様になるのを防止することができる。即ち、枠本体の開口領域に対応する領域内のフィルターは、フィルター支持体における通気穴を形成した領域（通気穴を形成する非開口部分）で支持され、開口領域側への変位が規制されているため、仮にフィルターが軟化しても、該フィルターはフィルター支持体によって支持され、枠本体の開口領域側に垂れ下がったり、落下したりすることが防止される。また、フィルターが溶融状態になった場合には、該フィルターに流動性がでるため、通気穴の周縁を伝うことになり、仮に落下しても微滴な状態で落下することになる。従って、消費者は遅くともフィルターが微滴な状態で落下した時点でフィルターが溶融状態になっていることが判断することができるため、フィルターが完全に溶融状態になって落下してしまうまでに、消火を行ったり、調理中の食材を待避させたりすることができ、フィルターの落下に伴う火災の発生を未然に防止することができる。
【００１２】
本発明の一態様として、前記フィルター支持体は、少なくともフィルターを支持する領域が金属製の網材で構成されてもよい。このようにすれば、空気（熱気）の流通を阻害することなく簡易な構成でフィルターを確実に支持することができる。
【発明の効果】
【００１３】
以上のように、本発明に係るフィルター取付具によれば、消費者が誤って耐熱性に乏しいフィルターを使用しても、火災の発生の原因となる加熱調理領域へのフィルターの落下を未然に防ぐことができ、且つ、通常の使用状態で換気装置の換気性能を確実に維持することができるという優れた効果を奏し得る。
【発明を実施するための最良の形態】
【００１４】
以下、本発明の一実施形態に係るフィルター取付具について、添付図面を参照しつつ説明する。
【００１５】
本実施形態に係るフィルター取付具は、ガスコンロやＩＨコンロ等の加熱調理器を用いて加熱調理を行う際に発生する熱気等を外部に排気すべく、加熱調理器（加熱調理を行う領域：加熱調理領域）の上方に設けられた既設の換気装置（本実施形態においては、ユニット化された換気装置の一構成要素のレンジフード（金属製カバー））に取り付けるものであり、図１に示す如く、枠状をなして開口領域１０を形成すると共に、該開口領域１０を覆うように枚葉状のフィルターＦを配置可能に構成された枠本体１と、開口領域１０と対応する領域内のフィルターＦを支持するフィルター支持体２と、フィルターＦを枠本体１に対して保持するフィルター保持枠３とを備えている。なお、該フィルター取付具Ｐに使用されるフィルターＦには、開口領域１０を覆うように枠本体１内に嵌め込むことができる枚葉状の不織布等で構成されたもの、即ち、枠本体１の内形状（フィルター支持体２又は後述するプレート部１１の平面視外形）に対応するように平面形状が設定されると共に、所定の厚みに設定された通気性を有するものが採用される。
【００１６】
前記枠本体１は、前記フィルター支持体２の外周縁部を支持すべく、外形が略矩形をなして前記開口領域１０を画定する枠状のプレート部１１と、プレート部１１の各外縁部から該プレート部１１と面交差する方向に延出した延出部１２と、前記フィルター保持枠３を係止すべく、対向する一組（一対）の延出部１２の先端から内側（互いに対向する延出部１２）に向けて延出した係止部１３と、該枠本体１をレンジフードに取り付けるための取付手段１４とで構成されている。本実施形態に係る枠本体１は、安全面を考慮して、プレート部１１に支持されるフィルター支持体２を補助的に支持すべく、開口領域１０を跨いで対向するプレート部１１に接続された補助支持体１６を更に備えている。
【００１７】
本実施形態において、当該フィルター取付具Ｐが取り付けられる対象が、金属板で構成されて磁性を有するレンジフードであるので、取付手段１４には、磁石が採用されている。該磁石１４は、一面が開口状態にある箱状のブラケット１５を介して前記係止部１３の延設された延出部１２に固着されている。
【００１８】
前記補助支持体１６は、金属製の二本の棒材で構成されている。該二本の棒材（補助支持体）１６，１６は、所定間隔を有して軸心と直交する方向に並列に設けられており、各端部がプレート部１１の内周端面に固着されている。
【００１９】
前記枠本体１は、前記取付手段１４（ブラケット１５）及び補助支持体１６を除いて、一枚の板材を折曲加工して形成されており、その折曲加工したものに対して前記取付手段１４（ブラケット１５）、及び補助支持体１６が取り付けられることで形成されている。
【００２０】
前記フィルター支持体２は、前記開口領域１０を完全に覆うように枠本体１に対して取り付け可能に構成されており、枠本体１に取り付けた状態で開口領域１０に対応することになる領域、即ち、開口領域１０に対応する領域内のフィルターＦを支持する領域には、気体（熱気）を流通させるための通気穴２０，２０…が複数形成されている。該通気穴２０，２０は、開口領域１０に対応する全領域における開口率をできる限り１００％に近づけて換気効率を高めるべく、サイズや、数、配置が設定されている。なお、開口領域１０に対応する領域内の開口率は、６５％〜９８％（より好ましくは、８０％以上）にすることが好ましい。
【００２１】
本実施形態に係るフィルター支持体２について具体的に説明すると、該フィルター支持体２は、金属製の線材（線径が約０．６ｍｍ〜１．６ｍｍの線材）を格子状に配設した網材で構成されている。従って、本実施形態に係るフィルター支持体２は、略矩形状の穴をなす格子目によって複数の通気穴２０，２０…が構成されている。なお、本実施形態においては、通気穴２０，２０…は、一辺が１０ｍｍ〜４０ｍｍに設定されている。該フィルター支持体２は、枠本体１の延出部１２に包囲された領域内に嵌め込んだ状態で、外周縁部が前記枠本体１のプレート部１１に支持されるように平面視の外形が設定されている。
【００２２】
前記フィルター保持枠３は、プレート部１１上にフィルター支持体２及びフィルターＦを配置した状態でフィルターＦと係止部１３との間の間隙と略同一或いは間隙よりもやや太い線経の金属製の線材或いは棒材を曲げ加工して枠状に形成されている。該フィルター保持枠３は、プレート部１１の形成領域であって延出部１２で包囲された領域内に配置できるように寸法設定されている。
【００２３】
上記構成のフィルター取付具Ｐは、図２に示す如く、枠本体１内にフィルター支持体２配置した後に、更にフィルターＦを配置し、フィルター保持枠３の両端部をフィルターＦと枠本体１の係止部１３との間に介装することで、フィルターＦがフィルター支持体２に支持されると共に、フィルター保持枠３で枠本体１に対する取付状態で保持されるた態様となる。即ち、この状態において、該フィルターＦは、フィルター支持体２を介して開口領域１０を覆った状態で、フィルター支持体２によって開口領域１０側への変位が規制され、フィルター保持体３によってプレート部１１とは反対側（レンジフードと対向する側）への移動が規制された態様となり、当該フィルター取付具Ｐがレンジフードに対して取り付け得る状態となる。
【００２４】
そして、図３に示す如く、フィルターＦがレンジフード１００の吸気口１０１の形成された壁部（本実施形態においては下壁部）１０２と枠本体１（プレート部１１）との間に介在するように、フィルター取付具Ｐを配置すると、取付手段（磁石）１４がレンジフード１００の下壁部１０２に磁着して、当該フィルター取付具Ｐの取り付けが完了する。この状態において、図４に示す如く、レンジフード１００の吸気口１０１は、枠本体１に包囲されると共にフィルターＦに覆われた態様となり、開口領域１０、通気穴２０及びフィルターＦを介して吸気口１０１に空気が流入できる状態となる。なお、図３及び図４においては、大型のレンジフードに対してフィルター取付具Ｐを二つ並列に取り付けるときの状態を示している。
【００２５】
そして、レンジフード１００の下方の領域（加熱調理領域）で加熱調理が行われ、その加熱調理に伴う熱気が換気装置（レンジフード１００）によって排気されるに際し、該熱気は枠本体１の開口領域１０及びフィルター支持体２の通気穴２０，２０…を介してフィルターＦを流通して外部に排気される一方で、油や塵等はフィルターＦによって捕らえられることになる。これにより、換気装置内への油等の流入が防止されるので、換気装置内における油の付着が抑制され或いは完全に防止されることになり、換気装置の清掃を簡単に行うことができる。
【００２６】
そして、消費者が誤って上記構成のフィルター取付具Ｐに非純正のフィルター（耐熱性に乏しいフィルター）を取り付けてしまい、加熱調理に伴う熱気の流通でフィルターＦが軟化した場合、上記構成のフィルター取付具Ｐは、枠本体１の開口領域１０の全領域にフィルター支持体２が配設されているので、フィルターＦが軟化に伴って開口領域１０内に垂れ下がろうとしても、当該フィルターＦはフィルター支持体２によって支持され、開口領域１０側への変位が規制されることになる。従って、消費者の頭上、即ち加熱調理を行っている高温な領域（加熱調理領域）の上方に配置されたフィルター取付具Ｐから不用意にフィルターＦが落下してしまうのを防止することができるので、火災の発生を未然に防止することができる。
【００２７】
また、フィルターＦが軟化状態から溶融状態になった場合、該フィルターが溶融した樹脂となって流動性が発生することになるが、溶融状態の樹脂（フィルター）は、フィルター支持体２の通気穴２０，２０…の周辺（線材：非開口部分）を伝って移動し、初期の段階において微滴となって下方に落下するだけである。従って、消費者がフィルターＦが軟化状態にあることに気が付かずに溶融状態になっても、微滴な樹脂が落下した時点でフィルターＦが溶融状態にあることに気が付き、フィルターＦ全体（大量の樹脂）が高温領域に落下してしまうまでに消火等の対策をとることができるので、火災が発生するのを未然に防止することができる。
【００２８】
また、上記フィルター保持具は、枠本体１のプレート部１１に対してフィルター支持体２が載置可能、即ち、枠本体１からフィルター支持体２が取り外せるようになっているので、フィルター支持体２の清掃を容易に行うことは勿論、消費者が正規ルートで耐熱性の十分に考慮された純正のフィルターＦを購入して使用する場合（明らかに耐熱性に優れたフィルターＦを使用していることが判断できる場合）には、フィルター支持体２を取り外して、従来のフィルター取付具Ｐと同様の使用態様にすることも可能である。
【００２９】
尚、本発明のフィルター取付具Ｐは、上記した実施の形態に限定されるものではなく、本発明の要旨を逸脱しない範囲内において種々変更を加え得ることは勿論である。
【００３０】
上記実施形態において、枠本体１を矩形の枠状に構成したが、これに限定されるものではなく、例えば、平面視円形の枠状に構成するようにしても勿論よい。この場合においても、フィルター支持体２の外形を枠本体１（開口領域１０）の形状に合わせるようにすることは勿論である。
【００３１】
上記実施形態において、フィルター支持体２全体を網材で構成するようにしたが、これに限定されるものではなく、例えば、フィルターＦを支持する領域（開口領域１０に対応する領域）のみを網材で構成し、枠本体１（プレート部１１）に支持される領域（フィルター支持体の外周縁部）を板材で構成するようにしても勿論よい。
【００３２】
上記実施形態において、線材を格子状に配置してフィルター支持体２を構成するようにしたが、例えば、網金網（フィルター支持体２をＪＩＳ３５５５の織金網や、ＪＩＳ３５５６の工業用織金網等）や、図５に示す如く、枠本体１のプレート部１１上に載置可能な平面形状に設定された金属製の板材に対し、枠本体１の開口領域１０に対応する領域内に複数の通気穴２０，２０を穿設したものであってもよい。この場合においても、換気効率を考慮して、枠本体１の開口領域１０に対応する領域の開口率ができる限り１００％に近づくように、線材の線径や目開き寸法を選定することは勿論である。但し、換気効率を追求するあまりに通気穴２０，２０を大きくすると、フィルターＦを支持する部分が減ってフィルターＦを十分に支持することができなくなる場合があるので、通気穴２０，２０…は、円形である場合には直径を１５ｍｍ〜４０ｍｍに設定し、矩形状である場合は一辺を４０ｍｍ以下程度（より好ましくは、２５ｍｍ以下）にすることが好ましい。
【００３３】
上記実施形態において、フィルター支持体２を網材を構成することで、通気穴２０，２０…が矩形状に形成されていたが、これに限定されるものではなく、通気穴２０，２０…は、例えば、真円形状や、楕円形状、三角形状等の種々形態のものであってもよく、通気穴２０，２０…を真円形状や楕円形状に形成した場合には、開口率を高めるべく、千鳥状に配設することが好ましい。
【００３４】
上記実施形態において、フィルター支持体２を枠本体１に対して別体で構成し、枠本体１（プレート部１１）に対してフィルター支持体２を着脱可能に構成したが、フィルター支持体２は、枠本体１に対して着脱可能に構成されたものに限定されるものではなく、例えば、枠本体１に固着したものであってもよい。従って、フィルター支持体２を枠本体１の開口領域１０に対応した平面形状に構成し、枠本体１（プレート部１１）の内周端部とフィルター支持体２の外周端部とを溶接等によって固着させたものであってもよい。
【００３５】
上記実施形態において、枠本体１にフィルター支持体２を補助的に支持する補助支持体１６を設けたが、これに限定されるものではなく、例えば、補助支持体１６を設けることなく枠本体１を形成し、フィルターＦを支持した状態で撓むことのないように、フィルター支持体２を、十分な剛性を得ることができる線経の線材で網状に構成したり、十分な板厚の板材に複数の通気穴を穿設して構成したりするようにしてもよい。つまり、フィルター支持体２に十分な強度があれば、補助支持体１６を設けなくても、フィルターＦを十分に支持することができる。但し、開口率を高めるべく、通気穴２０，２０…周辺の非開口部分を細くする場合には、フィルター支持体２が撓む虞があるので、補助支持体１６を設けることが好ましい。
【００３６】
また、上記実施形態において、フィルター保持枠３を枠本体１に対して別体で構成したが、これに限定されるものではなく、例えば、フィルター保持枠３の一端を枠本体１の一端部に枢着し、フィルター保持枠３の他端部を前記係止部１３に係止させるようにしてもよい。
【００３７】
上記実施形態において、フィルターＦを枠本体１に保持させるフィルター保持枠３を設けたが、これに限定されるものではなく、フィルター保持枠３は、必要に応じて設けるようにすればよい。但し、換気装置を駆動した際の吸気に伴って、フィルターＦが吸気口１０１に向けて吸い込まれる虞がある場合には、フィルター保持枠３を設けることは勿論である。
【図面の簡単な説明】
【００３８】
【図１】本発明の一実施形態に係るフィルター取付具の分解斜視図を示す。
【図２】同実施形態に係るフィルター取付具の全体斜視図を示す。
【図３】同実施形態に係るフィルター取付具をレンジフードに取り付ける際の状態を示した斜視図を示す。
【図４】同実施形態に係るフィルター取付具をレンジフードに取り付けた状態の斜視図を示す。
【図５】他実施形態に係るフィルター支持体の斜視図を示す。
【図６】従来のフィルター取付具の分解斜視図を示す。
【図７】従来のフィルター取付具をレンジフードに取り付けた状態の斜視図を示す。
【符号の説明】
【００３９】
１…枠本体、２…フィルター支持体、３…フィルター保持枠、１０…開口領域、１１…プレート部、１２…延出部、１３…係止部、１４…取付手段（磁石）、１５…ブラケット、１６…補助支持体、２０…通気穴、Ｆ…フィルター
【図１】
2006075805.tif 000003
【図２】
2006075805.tif 000004
【図３】
2006075805.tif 000005
【図４】
2006075805.tif 000006
【図５】
2006075805.tif 000007
【図６】
2006075805.tif 000008
【図７】
2006075805.tif 000009